(57)【特許請求の範囲】
【請求項１】
離間して立設した複数のポールと、隣接する２本のポール間を結合する連結部材とで構築した天板支持用自立枠組体であって、前記ポールには天板を支持する天板支持体が取り付けられ、前記ポール間は少なくとも一部が前記連結部材に取り付けられた閉鎖体で覆われているものとし、前記天板支持体の取付部及び前記連結部材の端部は、前記ポールに複数設けた上下方向の溝部の一つに摺動係合した前記取付部及び端部と対応するそれぞれの受け部材と螺合結合して、溝部の外方を向く開口の両側に遊端が互いに向き合って離間する一対の係止片を、天板支持体の取付部と受け部材及び連結部材の端部と受け部材とで挟持することで、前記ポールに連結固定されることを特徴とする天板支持用自立枠組体。
【請求項２】
前記ポールの少なくとも一つには、複数の天板支持体が取り付けられている請求項１に記載の天板支持用自立枠組体。
【請求項３】
結合された前記連結部材は、上面視が多角形状に形成されている請求項１または２の何れかに記載の天板支持用自立枠組体。
【請求項４】
前記ポールには電源コードが内装されている請求項１ないし３の何れかに記載の天板支持用自立枠組体。
【請求項５】
前記ポールには照明具が支持されている請求項１ないし４の何れかに記載の天板支持用自立枠組体。
【発明の詳細な説明】
【０００１】
【発明の属する技術分野】
本発明は、離間して立設した複数のポールと、隣接する２本のポール間を結合する連結部材とで構築した天板支持用自立枠組体に関する。
【０００２】
【従来の技術】
従来、オフィス空間の効率的な利用を促進するために、机を近接配置することが一般的に採用されているが、利用者の相互の干渉を避けるために机間にパーティションを介在させることが行われていた。しかしながら机の配置の仕方によって所要の長さのパーティションを各種用意して組み合わせねば成らず、しかも、机を極力近接配置しようとすれば、パーティションを机と密着させる必要があるが、机の脚とパーティションの脚とが当接したりしてその近接配置にも限界があった。そして、接近配置される机間に自立型のパーティションを配置した場合には、パーティションの内側に近接して机の脚や外周の側板が位置するため、その領域がデッドスペースとなっていた。
【０００３】
【発明が解決しようとする課題】
本発明は、机間を極力近接配置しても、利用者の相互の干渉を避けることができ、しかも自由な天板配置が可能な天板支持用自立枠組体を提供することを目的とする。
【０００４】
【課題を解決するための手段】
上記課題を解決するために、本発明の天板支持用自立枠組体は、離間して立設した複数のポールと、隣接する２本のポール間を結合する連結部材とで構築した天板支持用自立枠組体であって、前記ポールには天板を支持する天板支持体が取り付けられ、前記ポール間は少なくとも一部が前記連結部材に取り付けられた閉鎖体で覆われているものとし、前記天板支持体の取付部及び前記連結部材の端部は、前記ポールに複数設けた上下方向の溝部の一つに摺動係合した前記取付部及び端部と対応するそれぞれの受け部材と螺合結合して、溝部の外方を向く開口の両側に遊端が互いに向き合って離間する一対の係止片を、天板支持体の取付部と受け部材及び連結部材の端部と受け部材とで挟持することで、前記ポールに連結固定されることを特徴としている。
この特徴によれば、ポールは連結部材によって堅牢な枠組が構築でき、またポール間が閉鎖体で覆われているので、ポールに天板を支持させるだけで机とパーティションの両機能を果たすことができる。また、連結部材と天板支持体とが溝部の外方を向く開口の両側に遊端が互いに向き合って離間する一対の係止片に挟持して取り付けることができるのでポールに確実に連結固定でき、取付構造も簡素化され、しかも上下に移動操作するだけで組付け取り外しができるので分解組立に手間がかからない。
【０００５】
本発明の天板支持用自立枠組体は、前記ポールの少なくとも一つには、複数の天板支持体が取り付けられていることが好ましい。
このようにすれば、複数の天板同士をポールの周りに近接配置できる。
【０００６】
本発明の天板支持用自立枠組体は、結合された前記連結部材は上面視が多角形状に形成されていることが好ましい。
このようにすれば、限られたスペースに多くの天板を効率良く配設できる。
【０００８】
本発明の天板支持用自立枠組体は、前記ポールには電源コードが内装されていることが好ましい。
このようにすれば、ポールを介して複数の天板に電力を供給できる。
【０００９】
本発明の天板支持用自立枠組体は、前記ポールには照明具が支持されていることが好ましい。
このようにすれば、天板上に照明具を取付ける必要がなく、上部空間を有効に利用できる。
【００１０】
【発明の実施の形態】
以下、本発明の実施例を図面に基づいて説明すると、まず図１にはワークスペースとして構築した共有空間構造体１を１単位とする３つの共有空間構造体１ａ、１ｂ、１ｃを組み合わせた全体斜視図が、また図２には３つの共有空間構造体１ａ、１ｂ、１ｃを組み合わせた平面図が示されている。
【００１１】
例えば共有空間構造体１ａは、３本のポール３ａ、３ｂ、３ｃと、ポール３ａ、３ｃのサイドに立設配置されるサイドポール３ｆ、３ｇと、３本のポール３ａ、３ｂ、３ｃの上端と下方にそれぞれ係合することで水平状態に連結される２組の連結部材２０と、２本のポール３ａ、３ｃと２本のサイドポール３ｆ、３ｇの上端とその下方にそれぞれ連結される２組の連結部材２２と、複数のポール３ａ、３ｂ、３ｃ及びサイドポール３ｆ、３ｇの中間部にそれぞれ支持される天板支持体４と、これら天板支持体４によって水平に支持される天板２８との組合せで構築され、これらポール３ａ、３ｂ、３ｃないしサイドポール３ｆ、３ｇの下端にはベース部材２が取り付けられている。
【００１２】
この共有空間構造体１とは、図１及び図２に従って説明すると、既に定義したように、最小共有空間構造体を組み合わせたもので、最小共有空間構造体１ａは、それ以外の共有空間構造体１ｂ、１ｃと連設され、各構造体は充分開放された空間をもっている。
【００１３】
そして、最小共有空間構造体１ａが、３本のポール３ｃ、３ｄ、３ｅと、２本のサイドポール３ｇ、３ｈと、４組の連結部材２０、２２と、天板２８と、天板支持体４とで構築された別の最小共有空間構造体１ｂとポール３ｃとサイドポール３ｇを共用して連設されている。
【００１４】
同様にして、上記の最小共有空間構造体１ａ、１ｂは、３本のポール３ｂ、３ｃ、３ｄと、２本のサイドポール３ｉ、３ｊと、４組の連結部材２０、２２と、天板２８と、天板支持体４で構成された別の最小共有空間構造体１ｃの３本のポール３ｂ、３ｃ、３ｄを共用している。
【００１５】
次に、本実施例で使用されている共有空間構造体１の具体的な構造について説明すると、図３は天板支持用自立枠組体の一部を構成するポール近辺の分解斜視図であり、上記連結部材２０は、上下横枠２０ａ、２０ｂと縦枠２０ｃとから成り、連結部材２２も同様に構成されている。
【００１６】
更に、連結部材２０の上下横枠２０ａ、２０ｂの内側に突設された複数の取付け片１７には、ビス２３を介して閉鎖体としての仕切り板２６が取り付けられている。
【００１７】
ベース部材２は、空間構造体の外郭を画定する床７の所定位置に設置され、ポール３ａの下端にネジ８を介して連結具２ａを締結すると共にこの連結具２ａ底部のボスに基台２ｂを調整可能に螺着し、この基台２ｂの位置調整により床面が多少変形或いは傾斜していてもベース部材２が常に水平状態を維持できるように構成されている。
【００１８】
ポール３ａの側面は、連結部材２０の縦枠２０ｃと着脱自在に固定されている。トップキャップ１５はその底部中央に螺合雄ねじ１５Ｘを有し、ポール３の上部中央に形成されている雌ねじ部３Ｘとネジ結合することにより、ポール３に形成されている溝部９を覆うようにしてポール３ａに固定される。
【００１９】
図４はポール３の断面図であって、本実施例では円周に外側部が若干拡がった略Ｕ字状の６つの溝部９が上下方向に延びており、各溝部９の外方を向く開口９ａの左右両側に、遊端が互いに向き合って離間する左右の係止片１０により溝部９の一部が覆われている。
【００２０】
本実施例において溝部９は、円柱状のポール外周に６０°の等間隔で６個形成してあるものを使用しているが、溝の数やその方向は、連結部材２０、２２の取付け可能な数量とその取付け方向と関連するので、共有空間構造体の設計者は、構築しようとする共有空間構造体の全体の形状から適宜選定する。また、ポールの形状は円柱状と限らず、例えば六角柱状のもので６つの溝部を形成するようにしたものであってもよい。
【００２１】
図５は前記溝部９の一つと上方から下方に向けて摺動係合できる受け部材１１を示したものであって、図５（ａ）は一部断面を示す側面図であり、図５（ｂ）は受け部材１１の上面図であって頭部１１ａの形状が示されており、図５（ｃ）は図５（ａ）のＡ−Ａ’断面図である。
【００２２】
受け部材１１を、図５（ｃ）に示すポール３に断面略台形状に形成した溝部９の上方より挿入すると、受け部材１１の係合凸部１１ｂがポール３の溝部９と摺動係合し、図４の仮想線で示したように、溝部９よりも大きい係止頭部１１ａがポール３の上端部と係合した時点で受け部材１１の下方向への移動が停止する。
【００２３】
また、図５（ａ）に示されているように、この受け部材１１には雌ねじ部１１ｃと嵌合穴１１ｄがいずれも上下に２箇所づつ形成されていて、雌ねじ部１１ｃに螺合するボルト１３（図６参照）によって受け部材１１がポール３の係止片１０と係合できるようになっている。
【００２４】
図６は止着部材１２の側面図であり、この止着部材１２の一側面側には図５に示す受け部材１１の嵌合穴１１ｄと嵌合する嵌合突起１２ａが上下２箇所に設けられていると共に、受け部材１１の雌ねじ部１１ｃと螺合できるボルト１３を受け入れる貫通孔１２ｃと、ボルト１３の頭部１３ａの座部１２ｃ′が形成されている。
【００２５】
図７はポールに天板支持体が固定された状態を示す平面断面図であり、図８はポールに天板支持体が固定された状態を示す斜視図である。図６に示すように、先ず連結部材２０の左右両端に貫通孔１２ｂを通してボルト１４により止着部材１２を取り付け、受け部材１１の嵌合穴１１ｄに止着部材１２の嵌合突起１２ａを嵌合させて一体化させた状態で、貫通孔１２ｃから挿入したボルト１３を受け部材１１の雌ねじ部１１ｃに螺合させて止着部材１２と受け部材１１との間に僅かな隙間（ポールの係止片１０が通過可能な隙間）が形成される程度に緩く締めつけ、位置設定されている２つのポール３の上方から連結部材２０の端部に上記隙間をもって取り付けられている受け部材１１を溝部９に沿って下方に移動し、受け部材１１の係止頭部１１ａがポール３の上端部に係合するまで挿入する。
【００２６】
この状態では、作業者が連結部材から手を離しても、連結部材２０の下方への落下は係止頭部１１ａにより、また、連結部材の水平方向の離動は２つのポール３ａ、３ｂによって阻止されているから、次の作業に移行するのが容易である。
【００２７】
そこで、仮締め状態のボルト１３をしっかりと締めつければ、受け部材１１は溝部９内でその回動が阻止されているから、ネジ作用により係止片１０が受け部材１１と連結部材２０端部の止着部材１２とで挟持され、連結部材２０が両ポール３ａ、３ｂ間に確実に連結固定されることになる。
【００２８】
同様にして、連結部材２０を、各ポール３ｂ、３ｃ間及び３ｃ、３ｄ間、３ｄ、３ｅ間に固定すると共に、連結部材２２をポール３ａとサイドポール３ｆ間、ポール３ｃとサイドポール３ｇ間、ポール３ｅとサイドポール３ｈ間、ポール３ｂとサイドポール３ｉ間ないしポール３ｄとサイドポール３ｊ間にもそれぞれ固定する。
【００２９】
一方、図７、図８に示すように、最小共有空間構造体１ａを構成する３本のポール３ａ、３ｂ、３ｃ及びサイドポール３ｆ、３ｇには、天板支持体としてのブラケット４が、最小共有空間構造体１ａで区画される領域内に向けて突設するように同じ高さ位置に取り付けられる。
【００３０】
天板２８を支持するためのブラケット４は、板金を折曲形成して構成されたもので、上面視逆ハの字状に開いた一対の支持部４ａ、４ａと、上記各ポールに取り付けるための縦長の取付部４ｂとで構成されている。
【００３１】
このブラケット４を上記各ポールに取り付けるに際し、各ポールの所定の溝部９内に受け部材１１を挿入して所定の高さ位置に位置決め保持させておき、この受け部材１１の雌ねじ部１１ｃに取付部４ｂ上下の取付孔から挿通したボルト１６を螺合させてブラケット４をしっかりと固定する。
【００３２】
同様にして、図１、図２に示すように、最小共有空間構造体１ｂ、１ｃを構成する各ポール３ｃ、３ｄ、３ｅ及びサイドポール３ｇ、３ｈないしポール３ｂ、３ｃ、３ｄ及び３ｉ、３ｊにもブラケット４を固定する。
【００３３】
このようにして、最小共有空間構造体１ａ、１ｂ、１ｃにより区画される領域内に向けて突設するように全てのポールないしサイドポールに固定されたブラケット４には、最小共有空間構造体１ａ、１ｂ、１ｃ単位で、天板２８が載置固定される。
【００３４】
次に、図１に示す本発明の共有空間構造体１を構築する施工手順について説明する。
【００３５】
最初に、最小共有空間構造体１ａの外郭を画定する３本のポール３ａ、３ｂ及び３ｃの内の平面視中間に位置するポール３ｂの上端側面に内角が１２０度となるように、２つの連結部材２０を取り付け、両連結部材２０の外方を向く他端にそれぞれポール３ａ、３ｂを取り付けて一体化させた状態で床面上に自立させる。３本のポール３ａ、３ｂ、３ｃを垂直に自立させる際には、図３に示すベース部材２を、床が多少変形或いは傾斜していても水平度が保てるように調節しながら立設する。
【００３６】
次に、ポール３ａ、３ｃとサイドポール３ｆ、３ｇ間に同様にして連結部材２２を固定すると、共有空間構造体１ａを構成する全ての各ポール３ａ、３ｂ、３ｃ及びサイドポール３ｆ、３ｇに、内部領域に向けてブラケット４を同一高さ位置になるよう固定し、ブラケット４の支持部４ａ上に天板２８を載置固定する。
【００３７】
同様にして、重複する説明は省略するが、他の共有空間構造体１ｂ、１ｃの領域内にもブラケット４を介して天板２８を載置固定することができる。
【００３８】
尚、３つの共有空間構造体１ａ、１ｂ、１ｃには、共用されるポール３ｂ、３ｃ及び３ｄ及びサイドポール３ｇを有しており、これら共用される単一ポールには、６０度間隔でその周囲に形成されている溝部９を利用して複数のブラケット４を（実施例では１２０度間隔で）取り付けることができる。
【００３９】
天板２８の高さ位置は、図１では全て同一高さに設定された状態が示されているが、共有空間構造体１ａ、１ｂ、１ｃを使用する使用者の体格、身長に応じてポール及びサイドポールの溝部９に沿ってブラケット４を移動することで、天板２８の高さを適宜変更することができる。
【００４０】
最後に、図３に示すように、トップキャップ１５を、その底部中央に設けられている螺合雄ねじ１５Ｘを、ポール３の上部中央に形成されている雌ねじ部３Ｘとネジ結合させて、ポール３頂部に固定する。このトップキャップ１５は溝部９を上から覆うようになっているから、ポール３と連結部材２０または２２との連結が緩んできても、受け部材１１の係止頭部１１ａがトップキャップ１５によりおさえられ、連結部材２０、２２の上方への抜け出しが阻止できる。
【００４１】
尚、最小共有空間構造体１ａ、１ｂ、１ｃの共有するポール３ｂ、３ｃ、３ｄには、図３に示すように所定高さ位置に例えば電源スイッチや机上に電源を供給するためのコンセント（不図示）が取り付けられ、床７の下面から取り出した電源コードＣを溝部９内に通してコンセントまで配線することで、配線処理や電気器具の操作を容易に行うことができるだけでなく室内の美観が向上する。
【００４２】
従って、上記のように構成された共有空間構造体によれば、隣接する各ポール３ａ〜３ｅ及びサイドポール３ｆ〜３ｉ間を連結部材２０及び２２により結合されて、各ポール３ａ〜３ｅ及びサイドポール３ｆ〜３ｉ間が仕切り板２６で覆われ、更に上記各ポール３ａ〜３ｅ及びサイドポール３ｆ〜３ｉには天板２８を支持するブラケット４が共有空間構造体１ａ、１ｂ、１ｃの内部領域に向けて突出するように取り付けられているので、連結部材２０、２２によって堅牢な枠組が構築でき、しかも分解組立作業が容易となる。
【００４３】
また、上記各ポール及びサイドポールは、それらの外周に、例えば６０度間隔で上下に向けて形成される複数の溝部９を利用して複数のブラケット４が取り付けられるので、複数の天板２８同士を単一のポールの周りに近接して配置することができる。
【００４４】
更に、各ポールないしサイドポール間に結合された連結部材２０、２２が上面視が多角形状に形成されているので、限られたスペースに多くの天板２８を効率良く配設することができる。
【００４５】
そして、上記ポールないしサイドポールには、連結部材２０、２２とブラケット４を取り付けるための溝部９が上下方向に向かって複数個等間隔に形成されているので、連結部材２０、２２とブラケット４とを溝部９だけで取り付けることができるので、取付け構造が簡素化され、しかも上下に移動操作するだけで組付け取り外しができるだけでなく、高さ調整も容易に行うことができる。
【００４６】
更に、上記各ポールないしサイドポールには電源コードＣが内装されるようになっているので、所定のポールを介して複数の天板２８上で使用される電気器具に電力を供給することができる。
【００４７】
次に、図９は天板支持用自立枠組体の他の実施形態を示すもので、これは上記実施形態における共有空間構造体とほぼ同一構成であるが、図２に示す共有空間構造体を構成する共有ポール３ｂ、３ｃ、３ｄを上方に延びる所定高さの長尺ポール３ｂ′、３ｃ′、３ｄ′として構成し、これら長尺ポール３ｂ′、３ｃ′、３ｄ′の上端に照明器具Ｌが支持された構成となっている点が相違している。
【００４８】
このように構成することにより、長尺ポール３ｂ′、３ｃ′、３ｄ′の上端に取り付けられた照明器具Ｌに接続された電源コードを溝部９内に通して電源スイッチＳまで配線することで、手元で照明器具ＬのＯＮ、ＯＦＦの操作を行うことができ、天板２８上に照明具を載置したり、取付ける必要がなく、上部空間を有効に利用できる。
【００４９】
図１０は、天板支持用自立枠組体の更に他の実施形態を示すもので、４本のポールを方形に配置してワークスペースとして構築した最小共有空間構造体を１単位とする５つの最小共有空間構造体５ａ〜５ｅを組み合わせて成る共有空間構造体５の全体平面図が示されている。尚、同一構成部材については、同一符号を付して重複する説明を省略する。
【００５０】
例えば、最小共有空間構造体５ａは、４本のポール３０ａ、３０ｂ、３０ｅ、３０ｆと、ポール３０ａと３０ｅの間、ポール３０ｅと３０ｆの間及びポール３０ｂと３０ｆの間を結合する３枚の連結部材３４と、方形の天板３２と、この天板３２の四隅を支持すべく４本のポール３０ａ、３０ｂ、３０ｅ、３０ｆに最小共有空間の内部領域に向けて突出させて取付けられたブラケット４とで構成されており、他の最小共有空間構造体５ｂ〜５ｅも同様な構成となっており、天板３２の作業領域となる一辺を除く周辺は仕切り板によって覆われている。
【００５１】
すなわち、共有空間構造体５を構成する５つの最小共有空間構造体５ａ〜５ｅは、均等間隔で３列に配置された１１本のポール３０ａ〜３０ｋ間に外側の列を除いて連結部材３４を結合することで自立構造とし、共有空間構造体５を格子状に区画する。
【００５２】
共有ポール３０ｆの外周には、４つのブラケット４が等間隔（９０度間隔）で固定されており、これに隣接する共有ポール３０ｇには３つのブラケット４が９０度間隔で固定されている。その他の共有ポール３０ｂ、３０ｃ、３０ｅ、３０ｊには２つのブラケット４が９０度の開きをもって取付けられ、外側角部に配置される専用のポール３０ａ、３０ｄ、３０ｈ及び３０ｉ、３０ｋには１つのブラケット４が取付けられている。
【００５３】
そして、専用ないし共有ポールに取付けられるブラケット４に対し、連結部材３４が４５度の角度をもって結合できるように、本実施形態で使用されるポール３０ａ〜３０ｋは、外周に４５度間隔で８個の溝部９が上下方向に形成されたポールが使用される。
【００５４】
【発明の効果】
本発明は以下の効果を奏する。
【００５５】
（ａ）請求項１項の発明によれば、ポールは連結部材によって堅牢な枠組が構築でき、またポール間が閉鎖体で覆われているので、ポールに天板を支持させるだけで机とパーティションの両機能を果たすことができる。また、連結部材と天板支持体とが溝部の外方を向く開口の両側に遊端が互いに向き合って離間する一対の係止片に挟持して取り付けることができるのでポールに確実に連結固定でき、取付構造も簡素化され、しかも上下に移動操作するだけで組付け取り外しができるので分解組立に手間がかからない。
【００５６】
（ｂ）請求項２項の発明によれば、複数の天板同士をポールの周りに近接配置できる。
【００５７】
（ｃ）請求項３項の発明によれば、限られたスペースに多くの天板を効率良く配設できる。
【００５９】
（ｄ）請求項４項の発明によれば、ポールを介して複数の天板に電力を供給できる。
【００６０】
（ｅ）請求項５項の発明によれば、天板上に照明具を取付ける必要がなく、上部空間を有効に利用できる。
【図面の簡単な説明】
【図１】本発明の天板支持用自立枠組体により構成された共有空間構造体の全体図斜視図である。
【図２】本発明の天板支持用自立枠組体により構成された共有空間構造体の平面図である。
【図３】本発明の天板支持用自立枠組体の一部を構成するポール近辺の分解斜視図である。
【図４】同じくポールの断面図である。
【図５】（ａ）は受け部材の一部断面を示す側面図、（ｂ）は受け部材の上面図であり、（ｃ）は（ａ）のＡ−Ａ’断面図である。
【図６】止着部材の側面図である。
【図７】ポールにブラケットが固定された状態を示す平面断面図である。
【図８】ポールにブラケットが固定された状態を示す斜視図である。
【図９】本発明の別の実施形態の天板支持用自立枠組体により構成された共有空間構造体の全体斜視図である。
【図１０】本発明の更に別の実施形態の天板支持用自立枠組体により構成された最小共有空間構造体が連設された各種連結形態を示す概念図である。
【符号の説明】
１、５                    共有空間構造体
１ａ、１ｂ、１ｃ          最小共有空間構造体
２                        ベース部材
２ａ                      連結具
２ｂ                      基台
３、３ａ〜３ｅ            ポール
３ａ′、３ｂ′、３ｃ′    長尺ポール
３ｆ〜３ｊ                サイドポール
３Ｘ                      雌ねじ部
４                        ブラケット（天板支持体）
４ａ                      支持部
４ｂ                      取付部
５ａ〜５ｅ                最小共有空間構造体
７                        床
８                        ネジ
９                        溝部
９ａ                      開口
１０                      係止片
１１                      受け部材
１１ａ                    係止頭部
１１ｂ                    係合凸部
１１ｃ                    雌ねじ部
１１ｄ                    嵌合穴
１２                      止着部材
１２ａ                    嵌合突起
１２ｂ、１２ｃ            貫通孔
１２ｃ′                  座部
１３、１４                ボルト
１３ａ                    頭部
１５                      トップキャップ
１６                      ボルト
１７                      取付け片
２０、２２                連結部材
２０ａ                    上横枠
２０ｂ                    下横枠
２０ｃ                    縦枠
２２ａ                    上横枠
２２ｂ                    下横枠
２２ｃ                    縦枠
２３                      ビス
２６                      仕切り板
２８                      天板
３０ａ〜３０ｋ            ポール
３２                      天板
３４                      連結部材
Ｃ                        電源コード
Ｌ                        照明器具
Ｓ                        電源スイッチ
【図１】
0004278897.tif 000002
【図２】
0004278897.tif 000003
【図３】
0004278897.tif 000004
【図４】
0004278897.tif 000005
【図５】
0004278897.tif 000006
【図６】
0004278897.tif 000007
【図７】
0004278897.tif 000008
【図８】
0004278897.tif 000009
【図９】
0004278897.tif 000010
【図１０】
0004278897.tif 000011